(57)【要約】【課題】履口の不快な喰い込み感を感じることなく、足にピッタリとフィットしてずれが発生することのないようにした靴下を提供する。【解決手段】レッグ部（１１）及び履口部（１０）を添え糸編み又はパイル編みを基本としこれにスパイラルメッシュ編みを組み合わせて編み糸と弾性糸とによって編成し、これによって所望のフィット感を与えるとともに、ゴム糸を用いることなくずり落ちを阻止する。また、添え糸編みの場合には履口部（１０）は少なくとも二重に折り返すことによってずり落ちを阻止する。スパイラルメッシュ編みのあぜ目は１／１〜８／１、２／２〜８／２、好ましくは２／１〜５／１とするのがよい。【選択図】  図１
2004190145.tif 000002
【特許請求の範囲】
【請求項１】
編み糸と弾性糸とでもって爪先部、足甲部、底部、踵部、レッグ部及び履口部を編成する一方、履口部にはゴム糸を編み込んでなる靴下において、
レッグ部及び履口部は添え糸編みを基本としこれにスパイラルメッシュ編みを組み合わせて編み糸と弾性糸とによって編成されることによって所望のフィット感が与えられる一方、上記履口部は少なくとも二重に折り返されることによってゴム糸を用いることなくずり落ちが阻止されていることを特徴とする靴下。
【請求項２】
編み糸と弾性糸とでもって爪先部、足甲部、底部、踵部、レッグ部及び履口部を編成する一方、履口部にはゴム糸を編み込んでなる靴下において、
レッグ部及び履口部はパイル編みを基本としこれにスパイラルメッシュ編みを組み合わせて編み糸と弾性糸とによって編成されることによって所望のフィット感が与えられるとともに、ゴム糸を用いることなくずり落ちが阻止されていることを特徴とする靴下。
【請求項３】
上記履口部は少なくとも二重に折り返されることによってずり落ちがさらに阻止されている請求項２記載の靴下。
【請求項４】
上記レッグ部及び履口部は針数が５０本ないし２４０本、シリンダー径が３インチ〜５インチであるＢ式又はＫ式のシングルシリンダーによって編成されている請求項１ないし３のいずれかに記載の靴下。
【請求項５】
上記スパイラルメッシュ編みのあぜ目が１／１〜８／１、あるいは２／２〜８／２である請求項１ないし４のいずれかに記載の靴下。
【請求項６】
上記スパイラルメッシュ編みのあぜ目が２／１〜５／１である請求項５記載の靴下。
【発明の詳細な説明】
【０００１】
【発明の属する技術分野】
この発明は靴下に関し、特に履口の喰い込みによる苦痛を感じることなく快適に履くことのできるようにした靴下に関する。
【０００２】
【従来の技術】
通常、靴下では平編み、メッシュ編み、パイル編み、あぜ編み又はこれらの組合せによって編成し、適度なフィット感を付与することが行われているが、一般的には図９に示されるように、レッグ部３１、足甲部３２、底部３３、爪先部３４及び踵部３５についてはその裏糸のカバーリングヤーンやコアヤーン、例えばナイロン巻きポリウレタン糸の適度な伸縮弾性により、靴下を履いた人の脚や足にフィットさせる一方、履口部３０については更にゴム糸を編み込み、ゴム糸の大きな伸縮弾性によって靴下のずり落ちを防止するようにしている。
【０００３】
しかし、履口部３０の伸縮弾性を大きくして靴下のずれを確実に防止しようとすると、靴下の履口が皮膚に喰い込むほど強く締め付けられて苦痛を感じることがあった。
【０００４】
他方、履口部３０の伸縮弾性を小さくし、レッグ部３１の伸縮弾性を大きくして靴下のずれを確実に防止しようとすると、今度は足首より上方の部分が強く締め付けられ、窮屈さを感じることがあった。
【０００５】
これに対し、靴下の足首部分にのみカバーリングヤーン等の弾性糸あるいはゴム糸を編み込み、足首より上方のレッグ部や履口部には弾性糸やゴム糸を編み込まず、足首部分で締付け、レッグ部及び履口部をフリーな状態とし、レッグ部及び履口部の生地特性によってずり落ちを防止するようにした靴下が提案されている（特許文献１、参照）
【０００６】
【特許文献１】実公平０６−１９５２１号公報
【０００７】
【発明が解決しようとする課題】
しかし、上記従来公報記載の靴下ではレッグ部及び履口部に適度な締付け感がないので、履いた時に違和感を感じて履きにくいという問題があった。
【０００８】
本発明は、かかる問題点に鑑み、足首より上方部分にはピッタリとフィットしてずり落ちることがなく、履口の喰い込みによる苦痛を感じることなく快適に履くことのできるようにした靴下を提供することを課題とする。
【０００９】
【課題を解決するための手段】
本件発明者は上述の課題を解決すべく鋭意研究を重ねたところ、添え糸編み又はパイル編みを基本としこれにスパイラルメッシュ編みを組合せて編成すると、編成組織によって適度な伸縮弾性が得られることを知見し、レッグ部及び履口部を上述の編成組織にするとゴム糸を用いることなく履口部のずり落ちを防止できることに着目し、本発明を完成するに至った。
【００１０】
そこで、本発明に係る靴下は、編み糸と弾性糸とでもって爪先部、足甲部、底部、踵部、レッグ部及び履口部を編成する一方、履口部にはゴム糸を編み込んでなる靴下において、レッグ部及び履口部が添え糸編みを基本としこれにスパイラルメッシュ編みを組み合わせて編み糸と弾性糸とによって編成されることによって所望のフィット感が与えられる一方、上記履口部が少なくとも二重に折り返されることによってゴム糸を用いることなくずり落ちが阻止されていることを特徴とする。
【００１１】
本発明の特徴の１つはレッグ部及び履口部を添え糸編みにスパイラルメッシュ編みを組合せて編成するとともに、履口部を少なくとも二重に折り返すようにした点にある。
【００１２】
これにより、足首より上方のレッグ部は添え糸編みとスパイラルメッシュ編みとを組み合わせた編み目によって適度な伸びと適度な締付け力が得られ、レッグ部の全体が履いた人の脚ふくらはぎから足首にかけての部分にピッタリと抱きつき、皺ができたりずれ落ちたりすることがない。
【００１３】
しかも、履口部は少なくとも二重に折り返しているので、履口部の締付け力はレッグ部よりも強くなり、履口部は履いた人の脚ふくらはぎにしっかりと抱きついて保持されるが、ゴム糸を用いた場合のように強い締付け感を感じることはなく、確実に履口部のずり落ちが阻止される。
【００１４】
その結果、従来のように履口が皮膚に喰い込むといったことはなく、しかも適度な締付感があるので、違和感なく履くことができる。
【００１５】
また、従来の靴下のように履口部にゴム糸を編み込んでおらず、添え糸編みとスパイラルメッシュ編みとを組み合わせた編み目による適度な伸び特性により、小さな力でレッグ部及び履口部の全体が大きく伸びるので、手足の筋力が弱った老人や病人にも容易に履くことができ、又脱ぐ時にも靴下を簡単に脱ぐことができる。
【００１６】
また、パイル編みを基本としこれにスパイラルメッシュ編みを組み合わせても上記の添え糸編みの場合と同様に適度な伸縮弾性が得られる。このパイル編みは編み目の特性に起因して添え糸編みに比して伸縮弾性が大きく、履口部を二重に折り返さなくとも履口部に必要な締付け力が得られることが判明した。
【００１７】
そこで、本発明に係る靴下は、編み糸と弾性糸とでもって爪先部、足甲部、底部、踵部、レッグ部及び履口部を編成する一方、履口部にはゴム糸を編み込んでなる靴下において、レッグ部及び履口部はパイル編みを基本としこれにスパイラルメッシュ編みを組み合わせて編み糸と弾性糸とによって編成されることによって所望のフィット感が与えられるとともに、ゴム糸を用いることなくずり落ちが阻止されていることを特徴とする。
【００１８】
なお、パイル編みとスパイラルメッシュ編みとの組合せの場合に、履口部の締付け力を強くしてより確実にずり落ちを防止する場合には履口部を二重に折り返すようにしてもよい。即ち、履口部は少なくとも二重に折り返されることによってずり落ちをさらに阻止するように構成することもできる。この場合、履口部は二重に大きく折り返し、レッグ部が実質的に履口部に隠れた形態を採用することもできる。
【００１９】
ここで、添え糸編みとは通常プレーティング編みともいわれ、地編糸に他の編糸を添えて給糸し、図３に示されるように、そのうちの一方を表面に、他方を裏面に表すようにした編み方であり、片面だけを見るときには１種類の編糸のみによって編まれたように見える。
【００２０】
スパイラルメッシュ編みとは２本糸編みにおいて１本の糸は１本おきの針及び１コースおきないし数コースおきにループを作らずにフロートしている編み組織で、メッシュと名付けられている通り、編み目が開いてメッシュとなる。ここで、図４は添え糸編みＰとスパイラルメッシュ編みＳＭとを１／１で編成した場合の編み目組織の例を示す。
【００２１】
また、パイル編みを基本としこれにスパイラルメッシュ編みを組み合わせた場合には図６に示される編み組織となる。図８において、ＰＩの部分がパイル編みの編み組織であり、ＳＭがスパイラルメッシュ編みの編み目組織である。
【００２２】
パイル編みは芯糸Ａとパイル糸Ｂを編み針に図７の（ａ）に示されるように掛けて編むことによって得られ、スパイラルメッシュ編みは芯糸Ａとパイル糸Ｂを編み針に図７の（ｂ）に示されるように掛けて編みことによって得られる。
【００２３】
本発明に係る靴下の編み目はＢ式又はＫ式のシングルシリンダーによって編成することにより得られる。具体的には針数が５０本ないし２４０本、シリンダー径が３インチ〜５インチであるＢ式又はＫ式のシングルシリンダーによって編成されることができる。
【００２４】
スパイラルメッシュ編みのあぜ目は１／１〜８／１あるいは２／２〜８／２を採用できるが、２／１〜５／１のあぜ目の時にずれ落ちしない最も優れたフィット感が得られた。あぜ目が１／１とはあぜが１目おきに１目形成されていることを、８／１とは１目をあけて８目のあぜが設けられていることを、２／２とはあぜが２目おきに２目形成されていることを、８／２とは２目をあけて８目のあぜが設けられていることをいう。
【００２５】
足甲部、爪先部、底部及び踵部については編み方は特に限定されず、平編み、メッシュ編み、パイル編み、あぜ編みあるいはこれらの組合せで編成することができるが、添え糸編み、添え糸編みとスパイラルメッシュ編みとを組合せた編み方あるいはパイル編みとスパイラルメッシュ編みとを組合せた編み方で編成するようにしてもよい。
【００２６】
また、編み糸の材質については特に限定されず、表糸又はパイル糸には綿糸、綿アクリル混紡糸、毛糸、毛アクリル混紡糸、絹糸、絹アクリル混紡糸、麻糸、麻アクリル混紡糸、ナイロン糸等、靴下に採用される編み糸であって、綿番で２番ないし１２０番に相当する特性の糸を用いることができる。
【００２７】
裏糸又は芯糸にはナイロン糸、ポリエステル糸、ポリウレタンカバーヤーン、コアヤーンであって、ナイロン糸で２０デニールないし４００デニールに相当する特性の糸を用いることができる。
【００２８】
ここで、弾性糸とは一般の場合にはゴム糸を含む用語として用いられているが、本発明ではゴム糸を除くナイロン糸、ポリエステル糸、ポリウレタンカバーヤーン、コアヤーンを意味する用語として用いている。
【００２９】
本発明はレッグ部の短いソックス、レッグ部の長いハイソックスのいずれにも適用できる。
【００３０】
【発明の実施の形態】
以下、本発明を図面に示す具体例に基づいて詳細に説明する。図１及び図２は本発明に係る靴下の好ましい実施形態を示す。靴下は履口部１０、レッグ部１１、足甲部１２、底部１３、踵部１５及び爪先部１４から構成されている。
【００３１】
履口部１０、レッグ部１１及び足甲部１２は添え糸編み（図３参照）を基本としこれにスパイラルメッシュ編み（図４参照）を組み合わせた編み方によって編成され、底部１３、踵部１５及び爪先部１４は添え糸編みによって編成されている。
【００３２】
レッグ部１１及び履口部１０は幅９ｃｍ〜１２ｃｍの寸法で、高さ方向にほぼ均一な幅に編成され、履口部１０は二重に折り返され、２ｃｍ〜１２ｃｍ、好ましくは６ｃｍ〜７ｃｍの長さに設定されている。なお、レッグ部１１及び履口部１０は上方になるに従って広幅となったラッパ形状でもよく、履口部が狭くなった形状としてもよい。
【００３３】
編み糸には、表糸に６４番手の２本の綿糸が用いられ、裏糸には３０デニールの２本のナイロン糸が用いられ、針数２２０本、シリンダー径３．５インチでＫ式編立機のシングルシリンダーによって編成されている。また、スパイラルメッシュ編みのあぜ目は２／１〜５／１、例えば４／１に設定されている。
【００３４】
以上のような本例の靴下では靴下のレッグ部１１及び履口部１０を添え糸編みとスパイラルメッシュ編みとを組合せて編成したので、足首より上方の部分は添え糸編みとスパイラルメッシュ編みとを組み合わせた編み目によって適度な伸びと適度な締付け力が得られ、レッグ部１１の全体が履いた人の脚レッグ部分にピッタリと抱きつき、皺ができたりずれ落ちたりすることがない。
【００３５】
しかも、履口部１０は添え糸編みとスパイラルメッシュ編みとを組合せて編成した編み組織を二重に折り返しているので、履口部１０の締付け力はレッグ部１１よりも強くなり、履口部１０は履いた人の脚レッグ部分にしっかりと抱きついて保持されるが、ゴム糸を用いた場合のように強い締付け感を感じることはなく、確実に履口部のずり落ちが阻止される。
【００３６】
その結果、従来のように履口が皮膚に喰い込むといったことはなく、しかも適度な締付感があるので、違和感なく履くことができ、又従来の靴下履口部１０の不快な喰い込み感を解消できる。
【００３７】
また、履口部１０にゴム糸を編み込んでおらず、しかも編み組織の特性により小さな力で靴下の履口部１０及びレッグ部１１の全体が大きく伸びるので、手足の筋力が弱った老人や病人にも容易に履くことができ、又脱ぐ時にも靴下を簡単に脱ぐことができる。
【００３８】
図５は第２の実施形態を示し、図において図１と同一符号は同一又は相当部分を示す。本例では履口部１０及びレッグ部１１はパイル編みを基本としこれにスパイラルメッシュ編みを組み合わせた編み方によって編成され（図６参照）、足甲部１２、底部１３、踵部１５及び爪先部１４はパイル編みによって編成されている。
【００３９】
レッグ部１１及び履口部１０は幅８ｃｍ〜１２ｃｍの寸法で、高さ方向にほぼ均一な幅に編成され、履口部１０は二重に大きく折り返され、４ｃｍ〜１０ｃｍ、好ましくは６ｃｍ〜８ｃｍの長さに設定されている。なお、本例の靴下においてもレッグ部１１及び履口部１０は上方になるに従って広幅となったラッパ形状でもよく、履口部が狭くなった形状としてもよい。
【００４０】
また、本例ではレッグ部１１は履口部１０にほぼ隠れた形態となっているが、レック部１１を長くした形態を採用することもできる。
【００４１】
編み糸には、パイル糸に２２番手の１本のアクリル毛混紡糸が用いられ、芯糸には４０／７５のポリエステル巻ポリウレタン糸が用いられ、針数１４４本、シリンダー径３・３／４  インチでＫ式編立機のシングルシリンダーによって編成されている。また、スパイラルメッシュ編みのあぜ目は２／１〜５／１、例えば３／１に設定されている。
【００４２】
以上のような本例の靴下では靴下のレッグ部１１及び履口部１０をパイル編みとスパイラルメッシュ編みとを組合せて編成したので、足首より上方の部分は適度な伸びと適度な締付け力が得られ、レッグ部１１の全体が履いた人の脚レッグ部分にピッタリと抱きつき、皺ができたりずれ落ちたりすることがない。
【００４３】
しかも、履口部１０はパイル編みとスパイラルメッシュ編みとを組合せて編成した編み組織を二重に折り返しているので、履口部１０は履いた人の脚レッグ部分にしっかりと抱きついて保持されるが、ゴム糸を用いた場合のように履口が皮膚に喰い込むといったことなく確実に履口部のずり落ちが阻止される。
【００４４】
また、履口部１０にゴム糸を編み込んでおらず、しかも編み組織の特性により小さな力で靴下の履口部１０及びレッグ部１１の全体が大きく伸びるので、手足の筋力が弱った老人や病人にも容易に履くことができ、又脱ぐ時にも靴下を簡単に脱ぐことができる。
【００４５】
図８は第３の実施形態を示し、図において図５と同一符号は同一又は相当部分を示す。本例の靴下では履口部１０は二重に折り返すことなく、パイル編みを基本としこれにスパイラルメッシュ編みを組み合わせて編成した編み組織を一重のままで使用している。
【００４６】
パイル編みを基本の編み組織とする場合には履口部１０は一重のままとしても適度な締付け力がえられる。
【００４７】
なお、本発明は上記の実施形態に限定されず、例えばＢ形編立機のシングルシリンダーによって編成してもよく、又針数は５０本ないし２４０本、シリンダー径は３インチ〜５インチから選ぶことができる。さらに、スパイラルメッシュ編みのあぜ目は１／１〜８／１、２／２〜８／２から選択することができ、又表糸又はパイル糸には綿糸以外に、綿アクリル混紡糸、毛糸、毛アクリル混紡糸、絹糸、絹アクリル混紡糸、麻糸、麻アクリル混紡糸、ナイロン糸を、綿番で２番ないし１２０番に相当する特性のものを用いることができる。さらに、裏糸又は芯糸にはナイロン糸以外に、ポリエステル糸、ポリウレタンカバー
ヤーン、コアヤーンを、ナイロン糸で２０デニールないし４００デニールに相当する特性のものを用いることができる。
【図面の簡単な説明】
【図１】本発明に係る靴下の好ましい実施形態を示す図である。
【図２】上記実施形態における履口部を示す断面図である。
【図３】添え糸編みを説明するための図である。
【図４】スパイラルメッシュ編みを説明するための図である。
【図５】第２の実施形態を示す図である。
【図６】パイル編みにスパイラルメッシュ編みを組み合わせた編み組織の例を模式的に示す図である。
【図７】パイル編み及びスパイラルメッシュ編みの編み方を説明するための図である。
【図８】第２の実施形態を示す図である。
【図９】一般的な靴下を説明するための図である。
【符号の説明】
１０      履口部
１１      レッグ部
１２      足甲部
１３      底部
１４      爪先部
１５      踵部
【図１】
2004190145.tif 000003
【図２】
2004190145.tif 000004
【図３】
2004190145.tif 000005
【図４】
2004190145.tif 000006
【図５】
2004190145.tif 000007
【図６】
2004190145.tif 000008
【図７】
2004190145.tif 000009
【図８】
2004190145.tif 000010
【図９】
2004190145.tif 000011